(57)【要約】【課題】  基礎床面上の載せ盤上に床パネルを敷設して行く二重床構造において、床パネルを載せ盤に固定するときも、固定しないときもパネル押え一つでできるようにする。【解決手段】  コーナーの先端を切り欠いた切欠部と、切欠部の周囲に上面から所定深さ下がった低段部を四分の一円形で形成した床パネルを基礎床面から起立する支持脚の上部に固定される載せ盤に、上部の鍔部で低段部を押え、中間の胴部を四分の一円形を合せた円形の切欠孔に挿入するとともに、底面部に形成されたネジ穴を載せ盤から突起するネジにネジ込むパネル押えで床パネルを載せ盤に固定する床パネルの支持構造において、床パネルを載せ盤に固定しない場合、パネル押えを上下反転して鍔部を切欠孔下に挿入して載せ盤上に着地させ、胴部で切欠孔を塞ぐ。【選択図】  図２
2014009533.tif 000002
【特許請求の範囲】
【請求項１】
コーナーの先端を切り欠いた切欠部と、切欠部の周囲に上面から所定深さ下がった低段部を四分の一円形で形成した床パネルを基礎床面から起立する支持脚の上部に固定される載せ盤に、上部の鍔部で低段部を押え、中間の胴部を四分の一円形を合せた円形の切欠孔に挿入するとともに、底面部に形成されたネジ穴を載せ盤から突起するネジにネジ込むパネル押えで床パネルを載せ盤に固定する床パネルの支持構造において、床パネルを載せ盤に固定しない場合、載せ盤上の床パネルを一旦取り外してパネル押えを上下反転して鍔部を切欠孔下に挿入して載せ盤上に置き、パネル押えの周囲の床パネルを再度載せ盤上に載せて胴部で切欠孔を塞いだことを特徴とする床パネルの支持構造。
【請求項２】
パネル押えの上面に載せ盤のネジの径よりも大きな径を有するとともに、ネジの丈よりも深い工具穴を形成し、パネル押えを上下反転したとき、工具穴にネジが挿入されて床パネルのずれを規制する請求項１の床パネルの支持構造。
【請求項３】
切欠孔下の載せ盤にパネル押えの鍔部の外径と同じ位の内径で上部に内方に突起する突起部を有する弾性体の起立壁を円形形状で設け、パネル押えを上下反転して切欠孔下に挿入するとき、鍔部は突起部を弾性変形させて後退させて通過し、鍔部が載せ盤に載った後に鍔部は元に復帰して突起部を上から押えてパネル押えのずれと浮き上がりを規制する請求項２の床パネルの支持構造。
【請求項４】
突起部は上下中央部分が最大に張り出す緩やかな彎曲或いはスロープをしている請求項３の床パネルの支持構造。
【請求項５】
切欠孔下の載せ盤にパネル押えの鍔部の外径と同じ位の内径で上端に内方に突出する庇部の下方の両端に主突起と従突起を形成した起立壁を円形形状で設けるとともに、バネル押えの鍔部の適所に庇部を通過させる凹みと、凹みの傍に第二凹みを設け、パネル押えを上下反転して切欠孔下に挿入するとき、庇部は凹みを通過させて鍔部が載せ盤に載ったときにパネル押えを回転させることで従突起が第二凹みに挿入され、パネル押えのずれと浮き上がり及び回転を規制する請求項２の床パネルの支持構造。
【請求項６】
従突起又は起立壁は弾性体又は半剛体で構成され、従突起の突出量は主突起よりも小さく、第二凹みは凹みよりも浅い請求項５の床パネルの支持構造。
【請求項７】
起立壁は部分的に設けられるものである請求項３〜６いずれかに記載の床パネルの支持構造。
【請求項８】
パネル押えの上面と底面に工具穴が形成されるとともに中間に工具穴の径よりも小さい径のネジ孔が形成され、パネル押えを上下反転して挿入孔に挿入したとき、載せ盤のネジがネジ孔にネジ込まれてパネル押えの位置を規制する請求項１の床パネルの支持構造。
【発明の詳細な説明】
【技術分野】
【０００１】
本発明は、基礎床面と床パネルとの間に配線スペースを確保するために二重床とするフリーアクセスフロアにおける床パネルの支持構造に関するものである。
【背景技術】
【０００２】
床パネルを基礎床面上に敷設するには、コーナーの先端を切り欠いた切欠部と、切欠部の周囲に上面から所定深さ下がった低段部を四分の一円形で形成した床パネルを集合させ、これを基礎床面から起立させた支持脚の上部に固定される載せ盤にパネル押えをもって固定する。具体的には、パネル押えの上部の鍔部で低段部を押え、中間の胴部を四分の一円形を集合させた切欠孔下に挿入して底面部に形成されたネジ穴を載せ盤から突起するネジにネジ込んで床パネルを固定するのである。
【０００３】
床パネルを固定するのは、人が歩行するとき等に床パネルがガタついて不快感を与えるのを防ぐためであるが、反面、床パネルの固定には手間を取ることになる。そこで、床パネルを剥ぐって配線レイアウト等をしばしば変える個所では床パネルを固定しないことがある。床パネルを固定しない場合（非固定）、パネル押えを使用しなければよいのであるが、そうすると、そこに穴があき、いくら上にカーペットが敷いてあるといっても、人の歩行等でカーペットが劣化し易くなるとともに、靴のヒール等が落ち込んで危険なことがある。
【０００４】
このため、下記特許文献１及び２に見られるように、パネル押えに代えて簡単な栓のようなものを嵌め込んでいるものがある。しかし、栓の構造を簡単にしたとしても、パネル押えと栓の二種類を用意しなければならず、それぞれを製作、保管、管理、搬送する必要があり、非常に煩雑でコストが高くなる。特に、どちらかを現場に持ち込むことを忘れることが往々にしてあり、直ちに工事に入れないといったことがある。また、レイアウト替えを再々する個所は決まっておらず、固定、非固定の個所の変更も多く、工事の際に使用したパネル押えや栓が紛失することもある。
【先行技術文献】
【特許文献】
【０００５】
【特許文献１】特開平１１−０１３２６５号公報
【特許文献２】特開２００５−１８８１９０号公報
【発明の概要】
【発明が解決しようとする課題】
【０００６】
本発明は、一つのパネル押えで床パネルを固定する場合の締付具と固定しない場合に形成される穴を塞ぐ塞ぎ具を兼用できるようにしたものであり、パネル押えに関する製作、保管、管理、搬送すべてのコストが抑えられるようにしたものである。
【課題を解決するための手段】
【０００７】
以上の課題の下、本発明は、請求項１に記載の、コーナーの先端を切り欠いた切欠部と、切欠部の周囲に上面から所定深さ下がった低段部を四分の一円形で形成した床パネルを基礎床面から起立する支持脚の上部に固定される載せ盤に、上部の鍔部で低段部を押え、中間の胴部を四分の一円形を合せた円形の切欠孔に挿入するとともに、底面部に形成されたネジ穴を載せ盤から突起するネジにネジ込むパネル押えで床パネルを載せ盤に固定する床パネルの支持構造において、床パネルを載せ盤に固定しない場合、載せ盤上の床パネルを一旦取り外してパネル押えを上下反転して鍔部を切欠孔下に挿入して載せ盤上に置き、パネル押えの周囲の床パネルを再度載せ盤上に載せて胴部で切欠孔を塞いだことを特徴とする床パネルの支持構造を提供したものである。
【発明の効果】
【０００８】
請求項１の発明によれば、パネル押えを床パネルのコーナーの切欠が集合した切欠孔から挿入し、底面部に形成されたネジ穴を載せ盤から突起されたネジにネジ込めば鍔部が低段部を押え付けて床パネルの固定が図られ、ネジ込みを外して上下反転して鍔部を載せ盤に形成された切欠孔下に挿入して載せ盤に載せれば（実際は鍔部は切欠孔を通過できないから、周囲の床パネルを一旦外す必要があるが）、床パネルは固定されないし、このとき、胴部で切欠孔を塞ぐから、パネル押えを正規の状態で使用しないことによって生ずる陥凹穴を塞ぐことができる。
【０００９】
なお、このとき、胴部の太さは切欠孔と同じ位にしておけば、塞ぎも完全になるし、この間に隙間が生ぜず、ゴミ等が入らない。つまり、パネル押え一つで床パネルを固定する場合の締付具と固定しない場合の穴を塞ぐ塞ぎ具を兼ねることができる。これにおいて、請求項２、３及び５の手段によれば、パネル押えの横方向のずれが規制でき、請求項３及び５の手段によれば、パネル押えのずれと浮き上がりが規制でき、請求項５の手段によれば、これに加えてパネル押えの回転も規制でき、請求項８の手段によれば、パネル押えの動きを完全に規制できる。
【図面の簡単な説明】
【００１０】
【図１】パネル押えによる床パネルの支持構造を示す断面図である。
【図２】パネル押えによる床パネルの支持構造を示す断面図である。
【図３】パネル押えによる床パネルの別の支持構造を示す断面図である。
【図４】パネル押えによる床パネルの別の支持構造を示す断面図である。
【図５】パネル押えによる床パネルの別の支持構造を示す斜視図である。
【図６】パネル押えによる床パネルの別の支持構造を示す斜視図である。
【図７】パネル押えによる床パネルの別の支持構造を示す斜視図である。
【図８】パネル押えによる床パネルの別の支持構造を示す断面図である。
【図９】パネル押えによる床パネルの別の支持構造を示す断面図である。
【図１０】パネル押えによる床パネルの別の支持構造を示す一部断面平面図である。
【図１１】図１０のＡ部の拡大平面図である。
【図１２】パネル押えによる床パネルの別の支持構造を示す斜視図である。
【図１３】パネル押えによる床パネルの別の支持構造を示す断面図である。
【図１４】パネル押えによる床パネルの別の支持構造を示す断面図である。
【図１５】パネル押えによる床パネルの別の支持構造を示す斜視図である。
【図１６】パネル押えによる床パネルの別の支持構造を示す斜視図である。
【図１７】パネル押えによる床パネルの別の支持構造を示す斜視図である。
【発明を実施するための形態】
【００１１】
以下、本発明の実施の形態を図面を参照して説明する。図１〜図２は本発明を示すパネル押えによる床パネルの支持構造を示す断面図であるが、基礎床面１上に固定された接地板２から外周にネジが形成された支持脚３を起立させ、支持脚３の上部に載せ盤４を固定する（この構造は公知であるから、ここでは詳説しない）。載せ盤４は一般に円形をしていてある程度の大きさを有し、本例では中央にネジ５が上に向いて突設している。載せ盤４の上にその中央にコーナーの先端が来る配置で四枚の床パネル６を載せるのであるが、そのために上面に四個等配置で矩形形に突出していて床パネル６を仕切る仕切体７も設けられている。
【００１２】
床パネル６は上板と下板とを中間に空間を形成してある程度の厚みを確保してプレス成形したものやＧＲＣ、ケイ酸カルシウム板等の窯業系材料からなり、コーナーには先端に切欠８が設けられた低段部９が形成されている。四枚の床パネル６を載せ盤４の上に載せ（床パネル６のフランジ下の側面に仕切体７が当たったりする構成で一定の目地で隙間なく敷き詰められている）、各々の切欠８を集合させた切欠孔１０からパネル押え１１を挿入する。パネル押え１１は上部に低段部９を集めた径に匹敵する径の大きな鍔部１１ａが形成され、中間に切欠孔１０と同じ位の径の胴部１１ｂが形成され、底面に平坦な底面部１１ｃが形成されているものである。
【００１３】
また、鍔部１１ａの上面には回転させるためのプラス又はマイナスのドライバー或いは六角レンチ等が入る工具穴１３が形成されている。以上のパネル押え１１を床パネル６の切欠孔１０に挿入して行くと、鍔部１１ａは床パネル６の低段部９を押え（その上面は床パネル６の上面とほぼ面一になる）、底面部１１ｃに形成されたネジ穴１２が載せ盤４から起立するネジ５にネジ込まれ、床パネル６を載せ盤４に締め付けて固定する。
【００１４】
床パネル６のコーナーはすべて固定されるものでないことは上記したが、このときはパネル押え１１を使用しなければよいのである（床パネル６は仕切体７等で位置決めされていてずれることはない）。そうすると、パネル押え１１が存在していた部分に陥凹穴があくのは上記したとおりである。そこで、何らかの栓（蓋）のようなものが必要になるのであるが、本発明ではパネル押え１１で兼用させるのである。
【００１５】
具体的には，パネル押え１１を上下反転して切欠孔１０下に挿入し、鍔部１１ａを載せ４に着地させ、胴部１１ｂでもって切欠孔１０を塞ぐのである。ただ、このときは、鍔部１１ａの径は切欠孔１０の径よりも大きいから、一旦周囲の床パネルを取り外す必要がある（要は、鍔部１１ａを低段部９の下側に入れて切欠孔１０の中心にパネル押え１１をもってくればよいのであるから、床パネル６、載せ盤４及びパネル押え１１の形状等の関係でこれが可能なら、最高二枚の床パネル６は残しておいてもよい）。
【００１６】
これをした後に再度床パネル６をバネル押え１１を中心に載せ盤４に載せることになるが、このとき、胴部１１ｂは切欠孔１０と同じ位の径にしてあるので、両者の間に隙間はほとんどなく、見映えもよいし、ゴミ等が入らない。また、丈（高さ）も同じになり、パネル押えを正規に使用したときにその鍔部１１ａの上面が床パネル６の面と面一であれば、上下反転したときも底面部１１ｃの上面は床パネル６の面と面一になる。
【００１７】
この穴の塞ぎによると、胴部１１ｂと低段部９の端の起立する壁との間には低段部９の深さだけの深さのドーナツ状の溝１４ができるが、この溝１４の幅はさほど大きくもなく、深さもそれほど深くはないから、問題はない。この場合、工具穴１３にネジ５を挿入しておけば、パネル押え１１のずれを防止できる。ただ、これが可能になるのは、工具穴１３がネジ５よりも径が大きいことと、深さがネジ５の丈よりも深いことであるから、そのようにしておく。これによると、両者の径の違いが少ないほどガタ付きがない。
【００１８】
図３〜図４はパネル押えによる床パネルの別の支持構造を示す断面図、図５〜図７は斜視図であるが、本例では、パネル押え１１のずれだけでなく、浮き上がりも規制できるようにしたものである。具体的には、載せ盤４の切欠孔１０の底にパネル押え１１の鍔部１１ａの外径と同じ位の内径で上部に内方に突起する突起部１５ａを有する弾性体の起立壁１５を設けておくのである。これによると、パネル押え１１を上下反転して切欠孔１０下に挿入するとき、鍔部１１ａの通過時に突起部１５ａは後退し、通過した後に鍔部１１ａが載せ盤４に載ると元に戻って突起部１５ａは鍔部１１ａを上から押え、パネル押え１１のずれはもちろん、浮き上がりを防止するのである。
【００１９】
もちろん、起立壁１５の内径と鍔部１１ａの外径は同じ位であるから、横方向のずれも上記した例よりもより規制する。この場合、鍔部１１ａが突起部１５ａをスムーズに通過するためには、突起部１５ａの突起は上下中間部分が最大に張り出す緩やかな彎曲或いはスロープをしているのが適する。なお、以上の効果をより確実にするためには、起立壁１５は３〜４個が部分的に存するのが適する。
【００２０】
図８〜図９は更に別の例の断面図、図１０は一部断面平面図、図１１は図１０のＡ部の拡大平面図、図１２は斜視図であるが、本例のものは、内方に突起するのは起立壁１５の上端の庇部１６のみとし、庇部１６の下方の水平方向両端にこれも内方に突起する筋状の主突起１７と従突起１８を設け、鍔部１１ａには庇部１６が通過できる幅と凹みを有する凹み１９とその傍に第二凹み２０を設けたものである。この場合、主突起１７は庇部１６の突出量と同じ程度であるが、従突起１８はこれよりも短くしておく。
【００２１】
以上の構成によれば、パネル押え１１を上下反転させるとき、鍔部１１ａの凹み１９で起立壁１５の庇部１６を通過させて切欠孔１０下に挿入し、鍔部１１ａが載せ盤４に載ったなら、パネル押え１１を回転させて従突起１８を第二凹み２０に挿入する（主突起１７は凹み１９に挿入されたまま）。第二凹み２０はこれが可能な位置と深さでよいことになる。これによると、パネル押え１１のずれと浮き上がりを規制するだけでなく、回転も規制する。なお、パネル押え１１を回転させるとき、従突起１８は一度鍔部１１ａの外周に後退しなければならないから、従突起１８若しくは起立壁１５はこれが可能な弾性体又は半剛体のものが適する。
【００２２】
図１３〜図１４は更に別の例を示す断面図、図１５〜図１７は斜視図であるが、本例のものは、パネル押え１１の鍔部１１ａの上面と底面部１１ｃにそれぞれ工具穴１３を形成し、その中間部分に雌ネジ２１を形成したものである。これによると、ネジ５はパネル押え１１を鍔部１１ａと底面部１１ｃのどちらを上にして置いた場合でも、雌ネジ２１に届くだけの長さを必要とするが、それが確保されていると、どちらを上にして置いた場合でもネジ５が雌ネジ２１にネジ込まれ、位置が強固に固定される利点がある。
【符号の説明】
【００２３】
１        基礎床面
２        接地板
３        支持脚
４        載せ盤
５        ネジ
６        床パネル
７        仕切体
８        切欠
９        低段部
１０      切欠孔
１１      パネル押え
１１ａ        〃の鍔部
１１ｂ        〃の胴部
１１ｃ        〃の底面部
１２      ネジ穴
１３      工具穴
１４      溝
１５      起立壁
１５ａ      〃  の突起部
１６      庇部
１７      主突起
１８      従突起
１９      凹み
２０      第二凹み
２１      雌ネジ
【図１】
2014009533.tif 000003
【図２】
2014009533.tif 000004
【図３】
2014009533.tif 000005
【図４】
2014009533.tif 000006
【図５】
2014009533.tif 000007
【図６】
2014009533.tif 000008
【図７】
2014009533.tif 000009
【図８】
2014009533.tif 000010
【図９】
2014009533.tif 000011
【図１０】
2014009533.tif 000012
【図１１】
2014009533.tif 000013
【図１２】
2014009533.tif 000014
【図１３】
2014009533.tif 000015
【図１４】
2014009533.tif 000016
【図１５】
2014009533.tif 000017
【図１６】
2014009533.tif 000018
【図１７】
2014009533.tif 000019